(57)【特許請求の範囲】
【請求項１】
錠付き戸棚と錠管理装置との間に錠管理通信手段を設け、錠管理通信手段を通して錠管理装置が錠付き戸棚の錠の施錠または解錠を行う手段を備え、錠管理装置と移動体通信端末装置との間に利用者通信手段を設け、利用者通信手段を通して錠管理装置が移動体通信端末装置から出される錠付き戸棚の施錠を行う施錠指令または解錠を行う解錠指令を受け付ける手段を備えたロッカーシステムにおいて、錠付き戸棚の格納庫に無線タグとの交信に必要な無線アンテナを備え、格納庫に収容する品物、または、品物の梱包容器に添付した無線タグと交信する手段を備え、さらに、格納庫の扉が閉ざされたことを検知すると無線タグ読み取り用電波を発信する手段と、無線タグから読み出した情報に基づいて品物または梱包容器が当該格納庫に収納すべきものであると判定した場合に当該格納庫を施錠する手段とを備えたロッカーシステム。
【請求項２】
さらに、錠付き戸棚の格納庫単位ごとにロッカーアドレスを特定するバーコードラベルを添付し、移動体通信端末装置へデータを出力可能なバーコードリーダに読取らせた前記バーコード情報を、移動体通信端末装置と利用者通信手段を通して錠管理装置へ送信する手段を備えた請求項１記載のロッカーシステム。
【請求項３】
錠付き戸棚が、前記の無線アンテナを介して、品物または品物の梱包容器に添付された無線タグと交信し、前記の無線タグが記憶している情報を更新し、または、新たな情報を追加記憶させる手段を備えた請求項１または２記載のロッカーシステム。
【請求項４】
格納庫または格納庫の扉を、電波を遮蔽する材料で構成した請求項１、２または３記載のロッカーシステム。
【請求項５】
更新または追加記憶する情報として日時データを含む請求項３または４記載のロッカーシステム。
【請求項６】
更新または追加記憶する情報として温度データを含む請求項３、４または５記載のロッカーシステム。
【発明の詳細な説明】
【０００１】
【発明の属する技術分野】
本発明は、駅やコンビニなどに設置され、ネットワークを通してサイバーベース上で錠を管理する錠付き戸棚に関する。
【０００２】
【従来の技術】
従来の電子ロッカーやネットワークを通してサイバーベース上で錠を管理する錠付き戸棚は、施錠者が品物をロッカーへ入れるとき、品物を収容しようとする格納庫に付けられたロッカーアドレスを読み、施錠指令を発信するための移動体通信端末装置に手動で入力していた。
【０００３】
また、従来の電子ロッカーやネットワークを通してサイバーベース上で錠を管理する錠付き戸棚は、格納庫内に品物が在るか無いかの検出を赤外線センサーで行うか、または、全く検出していなかった。
【０００４】
【発明が解決しようとする課題】
従来の電子ロッカーやネットワークを通してサイバーベース上で錠を管理する錠付き戸棚は、個人による利用に止まらず、商品の販売や配送を行う業者なども加わり相互に品物を受け渡す商売の手段として利用するには、施錠者または解錠者がロッカーの施錠または解錠を行うとき、品物を出し入れしようとする格納庫に付けられたロッカーアドレスを施錠指令、または、解錠指令を発信するための移動体通信端末装置へ正確に、速く、かつ、容易に入力する手段が求められていた。
【０００５】
また、商品の販売や配送を行う業者などが利用する場合は、作業ミスの防止やセキュリティ確保策として、格納庫内に収納し施錠しようとしている品物が何であるかの機械による自動確認、また、格納庫内に確かに品物が収納されたことの機械による自動確認を可能にする手段が求められていた。
【０００６】
また、電子ロッカーやネットワークを通してサイバーベース上で錠を管理する錠付き戸棚の利用状況の管理のためにも、収納中の品物に関する情報を品物自体から自動的に取得し、また、収容の時刻や場所などの管理情報を自動的に品物自体に記録可能にする手段が求められていた。
【０００７】
そこで、第一の課題として、電子ロッカーやネットワークを通してサイバーベース上で錠を管理する錠付き戸棚に、格納庫に付けられたロッカーアドレスを施錠または解錠指令を発信するための移動体通信端末装置に自動、または、半自動的に入力する手段が求められている。
【０００８】
また、第二の課題として、格納庫内に収納し施錠しようとしている品物が何であるかの機械による自動確認、また、格納庫内に確かに品物が収納されたことの機械による自動確認を可能にする手段が求められている。
【０００９】
また、第三の課題として、電子ロッカーやネットワークを通してサイバーベース上で錠を管理する錠付き戸棚の利用状況の管理のために、収納中の品物に関する情報を品物自体から自動的に取得可能にする手段が求められている。
【００１０】
また、第四の課題として、電子ロッカーやネットワークを通してサイバーベース上で錠を管理する錠付き戸棚が、収納中の品物に保管の時刻、場所、温度などの管理情報を自動的に記録可能にする手段が求められている。
【００１１】
本発明の目的は上述した課題を解決するロッカーシステムを提供することにある。
【００１２】
【課題を解決するための手段】
本発明の［請求項１］のロッカーシステムは、錠付き戸棚と錠管理装置との間に錠管理通信手段を設け、錠管理通信手段を通して錠管理装置が錠付き戸棚の錠の施錠または解錠を行う手段を備え、錠管理装置と移動体通信端末装置との間に利用者通信手段を設け、利用者通信手段を通して錠管理装置が移動体通信端末装置から出される錠付き戸棚の施錠を行う施錠指令または解錠を行う解錠指令を受け付ける手段を備えたロッカーシステムにおいて、錠付き戸棚の格納庫に無線タグとの交信に必要な無線アンテナを備え、格納庫に収容する品物、または、品物の梱包容器に添付した無線タグと交信する手段を備え、さらに、格納庫の扉が閉ざされたことを検知すると無線タグ読み取り用電波を発信する手段と、無線タグから読み出した情報に基づいて品物または梱包容器が当該格納庫に収納すべきものであると判定した場合に当該格納庫を施錠する手段とを備えている。
【００１３】
本発明の［請求項２］のロッカーシステムは、錠付き戸棚の格納庫単位ごとにロッカーアドレスを特定するバーコードラベルを添付し、移動体通信端末装置へデータを出力可能なバーコードリーダに読取らせた前記バーコード情報を、移動体通信端末装置と利用者通信手段を通して錠管理装置へ送信する手段を備えている。
【００１４】
本発明の［請求項３］のロッカーシステムは、錠付き戸棚が、前記の無線アンテナを介して、品物または品物の梱包容器に添付された無線タグと交信し、前記の無線タグが記憶している情報を更新し、または、新たな情報を追加記憶させる手段を備えている。
【００１５】
【発明の実施の形態】
以下、本発明の実施の形態について図面を参照し説明する。
【００１６】
図３は本発明の第一の実施の形態を説明するシステムの構成例を示すブロック図であり、また、図１はシステムの構造例を示す図である。
【００１７】
図３を参照すると、本発明によるロッカーシステムは、錠付き戸棚１０、錠管理装置２０、移動体通信端末装置３０、バーコードリーダ６０、錠付き戸棚１０と錠管理装置２０との間の通信を行う錠管理通信手段、および、錠管理装置２０と移動体通信端末装置３０との間の通信を行う利用者通信手段から構成される。また、錠付き戸棚１０の各格納庫１０１にはバーコードラベル１０３が付加されて構成される。図１は、バーコードラベル１０３を錠付き戸棚１０の各格納庫１０１に貼り付けた状態を例示している。
【００１８】
錠付き戸棚１０は、格納庫１０１、格納庫の扉１０４の施錠を行う電磁錠１０２、および、ロッカー管理装置５０から構成される。錠付き戸棚１０には、通常、格納庫１０１と電磁錠１０２の組み合わせが複数個設けられる。また、各格納庫１０１には固有のロッカーアドレスが振られ、見やすい位置にバーコードラベル１０３で表示される。
【００１９】
格納庫１０１は、品物を入れるロッカーのボックスである。電磁錠１０２はロッカー管理装置５０から制御され格納庫の扉１０４を電気的に施錠／解錠する。
【００２０】
ロッカー管理装置５０は、図５に例示するように、プロセッサ５０００、メモリ５００１、通信インタフェース５００２、入出力インタフェース５００３、および、メモリ５００１に格納されたソフトウエアから構成され、該ソフトウエアは通信インタフェース５００２を介して錠管理装置２０との間の通信を行う錠管理通信手段、および、入出力インタフェース５００３を介して電磁錠１０２へ施錠、または、解錠の信号を送る機能を実行するように製作されている。
【００２１】
錠管理装置２０は図７に例示するように、プロセッサ２０００、メモリ２００１、通信インタフェース２００２、および、メモリ２００１に格納されたソフトウエアから構成される。前記ソフトウエアは通信インタフェース２００２を介し、錠付き戸棚１０のロッカー管理装置５０との間の通信を行う錠管理通信手段、および、移動体通信端末装置３０との間の通信を行う利用者通信手段を実行するように制作されている。
【００２２】
錠管理通信手段は有線／無線通信のいづれも使用できる。また、利用者通信手段は、移動体通信端末装置３０と移動体通信基地局４０との間の通信を行う携帯電話やＰＨＳ等の移動体通信、および、錠管理装置２０と移動体通信基地局４０との間の有線／無線通信のいづれかによる通信を使用する。
【００２３】
錠管理通信手段と利用者通信手段は、いずれも、錠管理装置２０と錠付き戸棚１０のロッカー管理装置５０の通信制御ソフトウエアと連携し高度なセキュリティを保てるように構成する。
【００２４】
バーコードラベル１０３に使用するバーコードは、誤り訂正機能の有無や、格納庫１０１の全体数や設置場所の情報などを含めるか等により、一次元バーコードや二次元バーコードが使われ、バーコードリーダ６０は配送業者などの携帯の容易さ等により、ハンディースキャナやペンスキャナが使用される。
【００２５】
バーコードリーダ６０は、電気的、または、赤外線通信等で移動体通信端末装置３０と接続し読み取ったバーコードの情報を移動体通信端末装置３０に転送できる。
【００２６】
次に動作について説明する。
【００２７】
錠付き戸棚１０の格納庫の扉１０４を施錠、または、解錠する場合、利用者は利用したい格納庫１０１を探し、または、あらかじめ使用するように指定されている格納庫１０１がある場合は、その格納庫１０１を探し、バーコードリーダ６０にその格納庫１０１のバーコードラベル１０３を読み取らせる。次に、利用者は、施錠、または、解錠指令を送信しようとする移動体通信端末装置３０からバーコード情報を施錠、または、解錠の指令と共に利用者通信手段を通して錠管理装置２０へ送信する。
【００２８】
錠管理装置２０は利用者通信手段を通して移動体通信端末装置３０から受信したバーコード情報に基づいて格納庫１０１の位置を特定し、同じく受信した施錠、または、解錠の指令を実行しても問題がないと判定した場合は、錠管理通信手段を通して錠付き戸棚１０のロッカー管理装置５０へ該当する格納庫１０１の電磁錠１０２を施錠、または、解錠の指令を送る。
【００２９】
ロッカー管理装置５０は受信した施錠、または、解錠の指令にもとずき入出力インタフェース５００３を介して電磁錠１０２へ施錠、または、解錠の信号を送り該当する電磁錠１０２を施錠、または、解錠させる。また、ロッカー管理装置５０は入出力インタフェース５００３を介して電磁錠１０２が指令通りに施錠、または、解錠の状態になったかを問い合わせ確認する。
【００３０】
バーコードラベル１０３には、利用者が格納庫１０１のロッカーアドレスを読めるようにするため図１にｍで例示するように数字やアルファベット等でロッカーアドレスが併記されている。
【００３１】
配送業者が、依頼を受けて、錠付き戸棚１０の特定の格納庫１０１から品物を取り出し輸送に回す場合、または、輸送して来た品物を指定されている錠付き戸棚１０の格納庫１０１に収納する場合は、例えば、錠管理装置２０から配送業者の移動体通信端末装置３０へ品物を出し入れすべき錠付き戸棚１０の格納庫１０１のロッカーアドレスを送信して配送業者に場所を知らせる。
【００３２】
配送業者は指定された錠付き戸棚１０の格納庫１０１を探し出し、バーコードリーダ６０でその格納庫１０１のバーコードラベル１０３を読み取らせ、そのバーコード情報を移動体通信端末装置３０へ入力する。移動体通信端末装置３０は入力されたバーコード情報と錠管理装置２０から受信したロッカーアドレスとを照合し、結果を利用者通信手段を通して錠管理装置２０へ送信する。錠管理装置２０は照合結果に基づき錠管理通信手段を通して錠付き戸棚１０のロッカー管理装置５０へ該当する格納庫１０１の電磁錠１０２を解錠する指令を送り解錠し、配送業者の品物の出し入れを可能にする。
【００３３】
次に本発明の第二の実施の形態について図面を参照し説明する。
【００３４】
図４は本発明の第二の実施の形態を説明するシステムの構成例を示すブロック図であり、また、図２はシステムの構造例を示す図である。
【００３５】
図４を参照すると、本発明によるロッカーシステムは、本発明の第一の実施の形態で説明した錠付き戸棚１０の各格納庫１０１に無線タグ８０との通信用の無線アンテナ５００６を付加し、図６に例示するように、ロッカー管理装置５０へ通信インタフェース５００４と無線送受信部５００５を付加して接続して構成する。無線アンテナ５００６は格納庫１０１に収納される品物自体による電波の遮蔽などの無線通信への影響が少ないように、格納庫１０１の内側の天井や上部に設置される。
【００３６】
無線タグ８０は、図２に例示するように、格納庫に収容する品物、または、品物を輸送や保管する際に使用する梱包容器に添付される。
【００３７】
無線タグ８０は、図８に例示するように、制御部８００１、無線送受信部８００２、および、無線アンテナ８００３から構成される。
【００３８】
次に動作について説明する。
【００３９】
錠付き戸棚１０の格納庫１０１に収納しようとする品物、または、品物を輸送や保管する際に使用する梱包容器７０に図２で例示するように無線タグ８０を添付する。無線タグ８０には品物の品番、品名、輸送先などの情報を無線タグ書込器を使用し書き込んでおく。
【００４０】
錠付き戸棚１０に前記の品物、または、品物を輸送や保管する際に使用する梱包容器７０を収納し施錠する場合は、利用者は、本発明の第一の実施の形態で説明したのと同様の方法で格納庫１０１を解錠し、前記の品物、または、品物を輸送や保管する際に使用する梱包容器７０を収納し格納庫の扉１０４を閉める。ロッカー管理装置５０は電磁錠１０２から格納庫の扉１０４が閉ざされたことをあらわす信号を受けると、無線アンテナ５００６から無線タグ８０の読み取り用の電波を発信する。
【００４１】
無線タグ８０は、前記の電波に同調し無線アンテナ８００３に電力を励起し、無線タグ８０は該電力を使い制御部８００１内のメモリに記憶している情報を無線送受信部８００２と無線アンテナ８００３を介して電波で発信する。ロッカー管理装置５０は無線アンテナ５００６により無線タグ８０からの電波を受け無線タグ８０から送信される情報を読み取る。
【００４２】
ロッカー管理装置５０は無線タグ８０から読み出した品物の品番、品名、輸送先などの情報を錠管理通信手段を通して錠管理装置２０へ送信し、錠管理装置２０が当該格納庫１０１に収納すべき品物、または、品物を輸送や保管する際に使用する梱包容器７０であると判定した場合、また、ロッカー管理装置５０が錠管理通信手段を通して錠管理装置２０から受信した情報と照合し、当該格納庫１０１に収納すべき品物、または、品物を輸送や保管する際に使用する梱包容器７０であると判定した場合は、ロッカー管理装置５０は本発明の第一の実施の形態で説明したのと同様の方法で格納庫１０１を施錠する。本動作により、施錠に当たって格納庫内に確かに品物が収納されたことが自動確認される。
【００４３】
もし、当該格納庫１０１に収納すべき品物、または、品物を輸送や保管する際に使用する梱包容器７０ではないと判定した場合は、ロッカー管理装置５０は格納庫１０１を施錠せず、アラーム音などにより利用者に知らせるようにしてもよい。
【００４４】
前記において、錠管理装置２０は、無線タグ８０から読み出した品物の品番、品名、輸送先などの情報をデータベースに記録し、錠付き戸棚１０の使用状態の管理や、配送品が現在どこにあるか等の輸送管理のために活用してもよい。
【００４５】
また、格納庫１０１と格納庫の扉１０４は、隣接する格納庫１０１内に収納された品物、または、品物を輸送や保管する際に使用する梱包容器に添付されている無線タグ８０が応答しないように、鉄板等の電波を遮蔽する材料を使用して構成してもよい。
【００４６】
また、無線タグ８０は、タグ型、コイン型、カード型などいずれのタイプでもよい、また、動作用電源を外部から得るタイプ、また、電池を内蔵するタイプのいずれを使用してもよい。
【００４７】
次に本発明の第三の実施の形態について説明する。
【００４８】
本発明によるロッカーシステムは、本発明の第二の実施の形態で説明した錠付き戸棚１０の無線タグ８０との通信機能に、無線タグ８０が記憶している情報を更新する手段、または、新たな情報を追加記憶させる手段を付加し、また、無線タグ８０には、錠付き戸棚１０からの電波を受けてメモリに記憶している情報を更新し、または、新たな情報を追加記憶する手段を付加して構成する。
【００４９】
本実施例による無線タグ８０には、メモリに記憶している情報を書き換え可能な、または、新たな情報を追記可能なタイプの無線タグを使用する。また、錠付き戸棚１０のロッカー管理装置５０の制御部８００１には、無線タグのリード／ライト機能を備えるものを使用して構成する。
【００５０】
次に動作について説明する。
【００５１】
ロッカー管理装置５０は、格納庫１０１の中に、品物、または、品物を輸送や保管する際に使用する梱包容器を収納している状態で、前記の無線タグへの読み出し、または、書込機能を使用し、無線タグ８０が記憶している情報を更新、または、新たな情報を追加記憶させる。
【００５２】
前記の無線タグへの読み出し、または、書き込みを行う時期は、例えば、利用者が格納庫１０１を解錠し品物、または、品物を輸送や保管する際に使用する梱包容器を取り出そうとするときなどであり、更新、または、追加記憶させる情報には、例えば、品物、または、品物を輸送や保管する際に使用する梱包容器が格納庫１０１に収容された日時、ロッカー管理装置５０が解錠信号を電磁錠１０２へ送る直前の日時、また、錠付き戸棚１０が前記の品物、または、品物を輸送や保管する際に使用する梱包容器を収容している間の当該格納庫１０１の最高温度や最低温度などのデータを含めることが出来る。
【００５３】
以上、本発明の実施例について説明したが、錠管理装置２０とロッカー管理装置５０との機能分担は、前記の説明における分担に限定されない。また、ロッカー管理装置５０の設置位置は錠付き戸棚１０の内部に限定されない。また、前記の各装置の機能は一部を他の装置に代行させてもよい。
【００５４】
【発明の効果】
以上説明したように、本発明によれば、電子ロッカーやネットワークを通してサイバーベース上で錠を管理する錠付き戸棚を利用する際の操作を自動化して簡略化することにより、個人による利用に止まらず、商品の販売や配送を行う業者なども利用可能になる。
【００５５】
また、格納庫内に収納し施錠しようとしている品物が何であるかの機械による自動確認、また、格納庫内に確かに品物が収納されたことの機械による自動確認が可能になり作業ミスの防止やセキュリティ向上が可能になる。
また、収納中の品物に関する情報を品物自体から自動的に取得可能になり、錠付き戸棚の利用状況の自動的な管理が可能になる。
【００５６】
また、収納中の品物に保管の時刻や場所、保管中の温度などの管理情報を自動的に記録可能になる。
【図面の簡単な説明】
【図１】第一の実施の形態の構造例を示す図である。
【図２】第二の実施の形態の構造例を示す図である。
【図３】第一の実施の形態の構成例を示すブロック図である。
【図４】第二の実施の形態の構成例を示すブロック図である。
【図５】第一の実施の形態のロッカー管理装置の構成例を示すブロック図である。
【図６】第二の実施の形態のロッカー管理装置の構成例を示すブロック図である。
【図７】錠管理装置の構成例を示すブロック図である。
【図８】無線タグの構成例を示すブロック図である。
【符号の説明】
１０    錠付き戸棚
２０    錠管理装置
３０    移動体通信端末装置
４０    移動体通信基地局
５０    ロッカー管理装置
６０    バーコードリーダ
７０    品物、または、品物を輸送や保管する際に使用する梱包容器
８０    無線タグ
１０１    格納庫
１０２    電磁錠
１０３    バーコードラベル
１０４    格納庫の扉
２０００    プロセッサ
２００１    メモリ
２００２    通信インタフェース
５０００    プロセッサ
５００１    メモリ
５００２    通信インタフェース
５００３    入出力インタフェース
５００４    通信インタフェース
５００５    無線送受信部
５００６    無線アンテナ
８００１    制御部
８００２    無線送受信部
８００３    無線アンテナ
【図１】
0003859498.tif 000002
【図２】
0003859498.tif 000003
【図３】
0003859498.tif 000004
【図４】
0003859498.tif 000005
【図５】
0003859498.tif 000006
【図６】
0003859498.tif 000007
【図７】
0003859498.tif 000008
【図８】
0003859498.tif 000009